(57)【要約】      （修正有）【課題】身体に装着する生理用品において、身体の排泄部に対処する開口部を排泄部の形状に合わせる事を特徴とする生理用品を提供する。【解決手段】身体の排泄部に対処する開口部１１を排泄部の形状に合わせる形成する事において、該生理用品を身体状態にフイットする、状況を整える、形状状態を構成する、環境に沿うを形成する、排出物の流れをスム−スにする、排出物の流れの誘導、衛生的にする、排泄物汚れを他に付着するを防ぐを等々その他種々の構造又は機能を備える仕法を設ける。【選択図】図１
2011218159.tif 000002
【特許請求の範囲】
【請求項１】
身体に装着する生理用品において、身体の排泄部に対処する開口部を排泄部の形状に合わせる事を特徴とする生理用品。
【請求項２】
身体に装着する生理用品において、身体の排泄部に関与対処する部を形状記憶部材にて設定する事を特徴とする生理用品。
【請求項３】
身体に装着する生理用品において、身体の排泄部に対処する開口する部を排泄部の形状に合わせた生理用品に排泄物を保持する事が出来る特徴を設けた生理用品。
【請求項４】
身体に装着する生理用品において、身体の排泄部に対処する部に受持形状を設けた生理用品を他の物体に取り付ける事を特徴とする生理用品。            
【請求項５】
請求項１項、２項、３項、又は４項の少なくとも何れかに記載の生理用品に於いて  該生理用品を他の物体に位置調整する手段を持って取り付ける事を特徴とする生理用品。
【請求項６】
請求項１項、２項、３項、４項、又は５項の少なくとも何れかに記載の生理用品に於いて  該生理用品に該組みする部分を設け、該部分を排泄部に関与する身体の凹凸割れ目形状に係合する手段を持った特徴の生理用品。
【発明の詳細な説明】
【技術分野】
【０００１】
本発明はペニス、肛門、又は陰門等から排出する排出物、汚物に関する
【背景技術】
【０００２】
従来のペニス、肛門、又は陰門等から排出する排出物、汚物を処理保持する物としてオムツ、（むつき、おしめとも言う）が使われていた。オムツはパンツの様な形状で該オムツの中で便・尿をそのままで保持されていた。依って、従来のオムツは、 ペニス、肛門、又は陰門等から排出する排出物、汚物にて其れに接する身体は汚物にまみれていた。
【先行技術文献】
【特許文献】
【０００３】
【特許文献１】特開２００９−１１２８２８号公報
【特許文献２】実開平５−３７２２０号公報
【特許文献３】特開２００１−２９９７９６号公報
【特許文献４】特開２００７−３２５７１７号公報
【特許文献５】特表平１０−５１３０７２号公報
【発明の概要】
【発明が解決しようとする課題】
【０００４】
本発明は、依って、従来のペニス、肛門、又は陰門等から排出する排出物、汚物の器・具体類として為すの名のオムツ等生理用品は上記記載の設定のオムツで有るために、排出する排出物、汚物を一緒くたに受け手具である所のオムツの名を以て包囲を為し、オムツ内に排出された汚物により、オムツ内の下半身体（前横後を含む）全体部が汚物にて汚染される物であった。 其処で、現代に於いて、老人の寝たっきりの人等の介護を必要の人、お漏らしする人、身体の動かすことが出来ない病人等々のオムツを必要とする人が多くなってきた。この従来のオムツのあり方、方法、処理の仕方に於いては、面倒であり、且つ大量な汚物の便、尿の混入する排出した処理には手間がかかってくる。依って介護人に依るオムツの交換から細菌、ウイルス、ばい菌等の感染が老人ホ−ムにて集団発生した状況が多くある。又通常長時間の車等にて（カンズメ）身動き出来ない状態になる際の排出手段として利用出来、又出発時に簡易に装着も可能とする。
【０００５】
本発明は、以上の実状に鑑みて、それ等に対する対策を本件発明において、
為す事を目的とするものである。
【課題を解決するための手段】
【０００６】
上記目的を達成すべく、
請求項１に記載された発明では、
身体に装着する生理用品において、身体の排泄部に対処する開口部を排泄部の形状に合わせる事を特徴とする生理用品。
【０００７】
然るに身体に装着する生理用品において排出する排泄物に関与する部分を任意形状にする手段を設けた事を特徴とする生理用品である。尚、身体に装着する生理用品に於いて、該生理用品から、睾丸又は／及び陰茎を露出する事が可能な位置の周辺又は陰門の周辺又は肛門の周辺における該生理用品の周辺部分をカットする又は開いた状況又は事態を構成した生理用品における該生理用品は、身体の排泄部に対処する開口部を排泄部の形状に合わせる形成する事において、該生理用品を身体状態にフイットする、状況を整える、形状状態を構成する、環境に沿うを形成する、排出物の流れをスム−スにする、排出物の流れの誘導、衛生的にする、排泄物汚れを他に付着するを防ぐを等々その他種々の構造又は機能を備える仕法を設ける事を特徴とする生理用品。
ユニットとして製作し、ユニットは取り付け、取り外しを為すことが出来る。
【０００８】
請求項２に記載された発明では、
身体に装着する生理用品において、身体の排泄部に関与対処する部を形状記憶部材にて設定する事を特徴とする生理用品。
【０００９】
然るに、身体に装着する生理用品において、身体の排泄部に対処する開口部を排泄部の形状に合わせる部分を形状記憶部材とする事を特徴とする生理用品。 然るに、身体に装着する生理用品において陰茎・陰門・肛門等から排出する排泄物に関与する生理用品の該排泄物に対応する過程の部分を陰茎・陰門・肛門又は該全部全体にわたり、該目的にそってカットする。該カット部を開口して該開口部・縁等を柔軟強硬なる、又は形状記憶部材等にて設定する。
【００１０】
依って、その他目的に適する種々な形状記憶部材の材料（例えば曲げ・止め・制止等種々な仕法等）（例えば針金・製紙・記憶合金・化学製品プラシック、アクリル、ポリエステル等類の種々な材料等々）にて、陰茎・陰門・肛門又は該全部全体にわたる該カット部を該目的の形状、形成、位置、状況等、その他種々な（例えば、該排泄物の移動過程に対応する状態の位置に於ける、陰茎・陰門・肛門又は該全部全体にわたる該カット部を該身体状態に沿って、合わせ身体ビットさせる、）方法において、柔軟強硬なる又は形状記憶部材等の種々な材料にて固定形状と成し又は任意形に成形する事が出来る。然るにその他種々な技法、仕法にて該該排泄物の便又は尿等が移動過程における移動、該流動をスム−ヅに、又は、目的に到着する、又は他に流れない様にする、又は漏れを防止する又は衛生的にする等その他種々な助けをする手段である。
【００１１】
尚、該生理用品の該開口に排泄物を保持する袋を設定する事を特徴とする生理用品において、該袋の開口、取り付ける口を、柔軟強硬なる又形状記憶部材等々の材料を持ちいる。従って任意形状、成形設定とする。依って、該固定設定する事が可能である、例えば両者の開口に取り付ける、貼着する、着脱する、定着する、固定する又は配設する等々を設ける、更にユニットとする事も可能である。
ユニットとして製作し、ユニットは取り付け、取り外しを為すことが出来る。
【００１２】
請求項３に記載された発明では、
身体に装着する生理用品において、身体の排泄部に対処する開口する部分を排泄部の形状に合わせた生理用品に排泄物を保持する事が出来る特徴を設けた生理用品。
然るに、身体に装着する生理用品において、排泄する排泄物に関与する部分を開口する。該部分を任意形状、排泄部の形状に合わせた形成の生理用品にする。該排泄する排泄物に袋等等その他種々の保持する構成又は機能を上記記載の形成生理用品に取り付ける事が出来る生理用品。
ユニットとして製作し、ユニットは取り付け、取り外しを為すことが出来る。
【００１３】
請求項４に記載された発明では、
身体に装着する生理用品において、身体の排泄部に対処する部分に受持形状を設けた生理用品を他の物体に取り付ける事を特徴とする生理用品。
【００１４】
然るに、身体に装着する生理用品において排出する排泄物に関与する部分を任意形状の受持形状（例えば、ペニスのみ、睾丸のみ、ペニスと睾丸、肛門又は陰門の受持形状の製作、成形とする。）にする手段を設けた生理用品を他の物体に取り付ける、固定する、定着する、保持する、被覆する、着脱する等の種々手段を設けた事を特徴とする生理用品。
【００１５】
尚、ペニスのみ、睾丸のみ、ペニスと睾丸、肛門又は陰門の受持形状の製作、成形製品は下部又は上部に流出、洩れる排出する排泄物を受け止める事が出来る
。又受持形状の製作、成形製品、排出する排泄物に関与して設けられた受部分、付着又は把持等のその他種々の手段を任意形状形成とした該手段の該生理用品を、身体、身頃、オムツその他の物体等に任意の位置及び固定装着の為の該位置及び調整する手段を持って定着させる生理用品、又ユニットとして製作し、ユニットは取り付け、取り外しを為すことが出来る。
【００１６】
請求項５に記載された発明では、
請求項１項、２項、３項、又は４項の少なくとも何れかに記載の生理用品に於いて  該生理用品を他の物体に位置調整する手段を持って取り付ける事を特徴とする生理用品。
【００１７】
然るに、身体に装着する生理用品の排出する排泄物に関与する部分を任意形状形成する手段を設けた生理用品において、該生理用品を他の物体に位置調整する手段を持って取り付ける、定着させる生理用品。尚、軟強硬材料、形状記憶部材等々その他種々を以て、例えば形成記憶合金、曲がる、バネ、延びる縮むリング又は塑性する等々その他種々な方法で身体、身頃、オムツ等の目的位置に設置しそれらの位置の調整し固定させる生理用品。
【００１８】
請求項６に記載された発明では、
請求項１項、２項、３項、４項、又は５項の少なくとも何れかに記載の生理用品に於いて  該生理用品に該組みする部分を設け、該部分を排泄部に関与する身体の凹凸割れ目形状に係合する手段を持った特徴の生理用品。
【００１９】
然るに、身体に装着する生理用品の排出する排泄物に関与する部分をカット開口する手段を設けた生理用品において、該生理用品に組みする（例えば生理用品の一端に設ける出っ張り又は端）部分を、関与する身体の身体の割れ目形状又は窪みに沿って係合する、組みする、添着する、定着する、位置決めする等等のその他種々の該手段を持って為す生理用品を留める、位置決め、離脱しない様にする。
【００２０】
尚、身体に装着する生理用品において、身体の排泄部に対処する部分に受持形状を設けた生理用品を他の物体に取り付ける、又は固定する事を特徴とする生理用品。組みする該部分を関与する身体の凹凸、窪みに沿って係合する手段を持った生理用品。該生理用品の該部分を身体の凹凸、窪みに係合させる事により、該生理用品の安定、固定、位置決めを計る事が出来る、更に該生理用品を他の物体に位置調整する手段を持って取り付ける事で位置の確定し、移動不可とする生理用品となる。
【００２１】
又、身体の窪み、凸凹、割れ目とは身体の陰門、肛門の周囲に存在する縦長の凹み、窪み、割れ目の形等の凹凸の形状をいい、該割れ目に組みする、着座する、差し込む、挟み込む、該部分を設けた生理用品。 ユニットとして製作し、ユニットは取り付け、取り外しを為すことが出来る。
【００２２】
身体に装着する生理用品に於いて、肛門、陰茎又は陰門より排出する汚物を、保持する、管理する、廃棄する又は排出する機能、作用、構造、又は構成をする一環の一部とする該生理用品の周辺部分をカットする又は開く。（該肛門、陰茎、陰門、又は陰茎と睾丸がついとす等の箇所周辺部分）該カットする又は開いた該肛門、陰茎、陰門、又は陰茎と睾丸が対とす等の箇所周辺部分（該状況又は事態をも考慮）を該身体状態にフイットさせる、該現状状況を重ね線（多重線）構造にてととのえて汚物等の感染、侵入を防ぐ又は該環境に合わせた沿った構成づくりの点線を欠切にて開放の位置範囲を設定し任意箇所を該周辺をに押し切り開く、又身体に合わせた蛇腹、伸縮の構造を設定し漏れ防止等する。
【００２３】
カットする又は開く部分を該環境（排出物の〈種類・排出〉箇所に於ける個人個人の身体・個々別々の箇所身体形状又は汚物の種類等のその他種々の環境に合わせた）に沿った構成・形状を形成する。又は、前記記載事項に汚物管理、保持、廃棄につながる被覆する仕法（袋）を設定出来るが出来る機能、作用、構造、又は構成である。又は汚物がスム−ズに移動する、汚物が次の段階に移動の際必要とする構造の流れに準じる、又は汚物が次の段階の移動にて保持する、管理する、廃棄する又は排出する事が容易に簡単に衛生的に安全に成せる機能、作用、構造、又は構成を持つ仕法とするとする為の工夫、考案、手段を設けた身体に優しい生理用品である。
【００２４】
環境とは、１）周囲の状況。ふんいき。２）影響を与える全てのもの等を言うのである。例えば一例として排出物又は排出等の事情（保持、管理、廃棄又は排出等をも含む）、流れ、経路に準じてなす。
【００２５】
該生理用品を柔軟性、硬直性、又は記憶する性質等その他種々の材料、素材、品質、性質、素質、又は形状を以て、形状形成、成形固定、組立、機能又は組織とする仕法を設ける事を特徴とする生理用品。
【００２６】
生理用品を更により効率良く、便利、簡易、良好、又は身体に優しい該生理用品に為すために、該生理用品を柔軟性、硬直性、又は記憶する性質（記憶合金等をも含む）等のその他種々の材料、素材、品質、性質、素質又は形状にて、又それらを以て、製造、製品、部品又は部分とする、該形状を形成し、機能を為し、それ等を組立を為す形状を為し、又は上記構成、機能とする組立を組織かとする、仕法を設ける事を特徴とする生理用品。
【００２７】
該生理用品のウエスト部分から足部分又は前記記載のカットする又は開いた部分までを開放と為す部又は開切と為す部の係止、係合、係着、捲着、挿着、挿着又は挟着等その他種々の着装手段にて身体に密着した、準じた又は沿った機能又は構造とする仕法を設ける事を特徴とする生理用品。
【００２８】
ウエスト及び生理用品の調整は開き部分を重ねて又交差させ（ウエスト部分の開部の両方の先部を交差させて結ぶ等）調整する仕法にて生理用品を身体にフイットする・コントロ−ルする生理用品である。生理用品に陰茎、陰門、又は肛門から排出する排出物を被覆、保持する仕法を設けた事を特徴とする生理用品。
【００２９】
被覆する仕法とは、包んで覆う仕法である。例えば、肛門、陰茎又は陰門より排出する汚物を保持し他に洩れる事がないように包み込んで覆うことが出来る仕法である。又露出した睾丸及び陰茎を包み込んで覆う袋体を睾丸及び陰茎を露出する事が可能な位置における該生理用品の部分を取り除ぞく、又は開いた該生理用品の箇所に該袋体を取り付けて、肛門、陰茎又は陰門より排出する汚物を保持し他に洩れる事がないように設定する。
【００３０】
被覆する仕法は、該設定部の取り付け、取り外し、又は一体化等の自由自在なな仕法が可能である、依って汚物の保持、管理、又は廃棄の機能の所持、設定が可能となり得る。
【００３１】
然るに、此処に於いて
身体に装着する生理用品に於いて、該生理用品から、睾丸及び陰茎を露出する事が可能な位置における該生理用品の部分をカット又は開いて、其処から睾丸及び陰茎を露出させる仕法を設けた事を特徴とする生理用品。
該生理用品から、睾丸及び陰茎を露出するに関しては、該生理用品の部分をカットする又は開く又は該生理用品の部分を取り除いた又は該生理用品の部分をくり抜いた、該箇所から、睾丸及び陰茎を取り出す状態又は露出する状態をいう。
【００３２】
可能な位置の周辺又は陰門の周辺又は肛門の周辺における該生理用品の周辺部分をカットする又は開いた状況とする。該事態を構成した生理用品において、該生理用品を身体状態にフイットする、状況を整える、形状状態を構成する、環境に沿うを形成する、又は排出物の流れをスム−スにする、構造又は機能を備える仕法を設ける事を特徴とする生理用品。
【００３３】
露出した睾丸及び陰茎を被覆する仕法を設けた事を特徴とする生理用品。
【００３４】
被覆する仕法とは、包んで覆う仕法である。例えば、陰茎、陰門、肛門より排出する汚物を保持し他に洩れる事がないように包み込んで覆うことが出来る仕法である。又、露出した睾丸及び陰茎を包み込んで覆う袋体、保持体を睾丸及び陰茎を露出する事が可能な位置における該生理用品の部分を取り除ぞいた開口の該生理用品の箇所に該袋体を取り付けて、陰茎より排出する汚物を保持し他に洩れる事がないように設定する。
【００３５】
露出した睾丸及び陰茎を被覆する仕法における睾丸と陰茎との間を区切る仕法を設ける事を特徴とする生理用品。睾丸と陰茎との間を区切る仕法とは、例えば一例として睾丸と陰茎とを分離する、個々別々に隔離する、仕切部、仕切面を設定する等々により、陰茎より排出する汚物を区切り仕法により、その部分に停滞、又は保持し、し易くする仕法である又他に洩れる事がないようにする仕法（保持する仕法として、尿を吸収材料を用いることも一つの例である）を設定する。
【００３６】
露出した睾丸及び陰茎のうちの該露出した陰茎のみを被覆する、該露出した睾丸のみを被覆する、又は該露出した睾丸と陰茎を別々にて共に被覆する仕法を設けた事を特徴とする生理用品。該露出した睾丸と陰茎を別々にて共に被覆する仕法を設けた事とは、睾丸と陰茎とを個々別々単独に為す様に被覆するをも含む仕法である。該仕法は尿を区分、し易くする方法に１つの例である。
【００３７】
ペニス・肛門・又は陰門から排出する排泄物に関与して設けられた排泄物を保持する又は該処理する生理用品に於いて、特に男性の尿の排出物の処理の方法において、睾丸及び陰茎が一連になっている身体事情により保持・処理の方法が困難を生じたり、衛生的な不都合を感じたり、窮屈又は睾丸及び陰茎の収まり位置の不快・不備を感じたりする。依って従来の生理用品（オムツ等）の中に睾丸及び陰茎及び肛門が一緒に納められていた生理用品（オムツ等）の上記状態又は不具合を解消のために、生理用品（オムツ等）に、該生理用品の該位置とする部分を取り除く、開放して、開いて又は削除して、睾丸及び陰茎を露出、取りだし又は放出する該手段にて、該生理用品から睾丸及び陰茎を独立させる。
【００３８】
該生理用品から睾丸及び陰茎を独立させて露出した睾丸及び陰茎を被覆する仕法とする一例として、袋を該生理用品に取り付ける該位置とする部分を取り除く、開いた、又は削除する該部分を設定する。該部分に該袋を睾丸及び陰茎を包み込む様に設定して陰茎からの尿の排出を該袋にて被覆して尿を保持する。
【００３９】
身体に装着する生理用品に於いて、肛門、陰茎又は陰門より排出する汚物を、保持する、管理する、廃棄する又は排出する機能、作用、構造、又は構成をする一環の一部とする該生理用品の周辺部分をカットする又は開く。（該肛門、陰茎、陰門、又は陰茎と睾丸がついとす等の箇所周辺部分）該カットする又は開いた該肛門、陰茎、陰門、又は陰茎と睾丸が対とす等の箇所周辺部分（該状況又は事態をも考慮）を該各々身体状態にフイットさせる。該現状状況を重ね（多重）構造にてととのえ得る。汚物等の感染、侵入を防ぐ又は該環境に合わせ沿った構成づくりの点線を欠切にて開放の位置範囲を設定し、任意箇所の該周辺を押し切り開く、又身体に合わせた蛇腹、伸縮の構造を設定し漏れ防止等す。
【００４０】
カットする又は開く部分を該環境（排出物の〈種類・排出〉箇所に於ける個人個人の身体・個々別々の箇所身体形状又は汚物の種類等のその他種々の環境に合わせた）に沿った構成・形状を形成する。又は、排泄物を管理、保持、廃棄につながる被覆する仕法（袋）を設定出来る機能、作用、構造、又は構成である。又は汚物がスム−ズに移動する、汚物が次の段階に移動の際必要とする構造の流れに準じる、又は汚物が次の段階の移動にて保持する、管理する、廃棄する又は排出する事が容易に簡単に衛生的に安全に成せる機能、作用、構造、又は構成を持つ仕法とするとする為の工夫、考案、手段を設けた身体に優しい生理用品である。
【００４１】
新小辞林において
仕法とは、しかた、方法、手段等をいう
状況とは、ありさま、様子、情勢等を言う
事態とは、ものごとのなりゆき、状態等を言う
環境とは、１）周囲の状況。ふんいき。２）影響を与える全てのもの  等を言うのである。例えば一例として排出物又は排出等の事情（保持、管理、廃棄又は排出等をも含む）、流れ、経路に準じてなす
該生理用品を柔軟性、硬直性、又は記憶する性質等その他種々の材料、素材、品質、性質、素質又は形状を以て、形状、組立、機能又は組織とする仕法を設ける事を特徴とする生理用品。
【００４２】
生理用品を更により効率良く、便利、簡易、良好、又は身体に優しい該生理用品に為すために、該生理用品を柔軟性、硬直性、又は記憶する性質等その他種々の材料を用い、素材、品質、性質、素質又は形状（バネ等も含む）にて、又それらを以て、製造、製品、部品又は部分とする、該形状を形成し、機能を為し、それ等を組立を為す形状を為し、又は上記構成、機能とする組立を組織かとする、仕法を設ける事を特徴とする生理用品。
【００４３】
少なくとも何れか１つに記載の生理用品において,該生理用品のウエスト部分から足部分迄、又は前記記載のカットする等の開いた部分までを、開放と為す部、又は開切と為す部と為す。前記記載等を係止、係合、係着、捲着、挿着、挿着又は挟着等その他種々の着装手段にて身体に密着した、準じた又は沿った機能又は構造とする仕法を設ける事を特徴とする生理用品。
【００４４】
ウエスト及び生理用品の調整は開き部分を重ねて又交差させ（例えばウエスト部分の開部の両方の先部を交差させて結ぶ等）調整する仕法にて生理用品を身体にフイットする・コントロ−ルする生理用品である。
【００４５】
少なくとも何れか１つに記載の生理用品において,該生理用品に陰茎、陰門、又は肛門から排出する排出物を被覆する仕法を設けた事を特徴とする生理用品。
【００４６】
被覆する仕法とは、包んで覆う仕法である。例えば、肛門、陰茎又は陰門より排出する汚物を保持し他に洩れる事がないように包み込んで覆うことが出来る仕法である。又露出した睾丸及び陰茎を包み込んで覆う袋体を睾丸及び陰茎を露出する事が可能な位置における該生理用品の部分を取り除ぞく又は開いた該生理用品の箇所に該袋体を取り付けて、肛門、陰茎又は陰門より排出する汚物を保持し他に洩れる事がないように設定する。被覆する仕法は、該設定部の取り付け、取り外し、又は一体化等の自由自在なな仕法が可能である、依って汚物の保持、管理、又は廃棄の機能の所持、設定が可能となり得る。
【発明の効果】
【００４７】
本発明は、この事由により汚物を簡易保持、管理、処理出来る。面倒なく、且つ大量な汚物の排出する処理には手間がかかない。又通常長時間の車等にて（カンズメ）身動き出来ない状態になる際の排出手段として利用出来、又出発時に簡易に装着も可能である。ユニットを為し簡易に装着も可能である
【図面の簡単な説明】
【００４８】
【図１】第１実施例は生理用品の断面図
【図２】第２実施例は生理用品の断面図
【図３】第３実施例は生理用品の断面図
【図４】第４実施例は生理用品の断面図
【図５】第５実施例は生理用品の断面図
【図６】第６実施例は生理用品の断面図
【図７】第７実施例は生理用品の断面図
【図８】第８実施例は生理用品の断面図
【図９】第９実施例は生理用品の断面図
【図１０】第１０実施例は生理用品の断面図
【図１１】第１１実施例は生理用品の断面図
【図１２】第１２実施例は生理用品の断面図
【図１３】第１３実施例は生理用品の断面図
【図１４】第１４実施例は生理用品の断面図
【図１５】第１５実施例は生理用品の断面図
【図１６】第１６実施例は生理用品の断面図
【図１７】第１７実施例は生理用品の断面図
【図１８】第１８実施例は生理用品の断面図
【図１９】第１９実施例は生理用品の断面図
【図２０】第２０実施例は生理用品の断面図
【図２１】第２１実施例は生理用品の断面図
【図２２】第２２実施例は生理用品の断面図
【図２３】第２３実施例は生理用品の断面図
【図２４】第２４実施例は生理用品の断面図
【図２５】第２５実施例は生理用品の断面図
【図２６】第２６実施例は生理用品の断面図
【図２７】第２７実施例は生理用品の断面図
【図２８】第２８実施例は生理用品の断面図
【図２９】第２９実施例は生理用品の断面図
【図３０】第３０実施例は生理用品の断面図
【図３１】第３１実施例は生理用品の断面図
【発明を実施するための形態】
【００４９】
以下、本発明を実施するための形態を説明する（以下、実施形態という）。
なお、各実施形態を通じ、同一の部材、要素または部分には同一の符号を付して、其の説明を省略する。
【実施例１】
【００５０】
本実施例の図１は、  ペニス・肛門・又は陰門から排出する排泄物に関与して設けられた排泄物を保持する又は該処理する生理用品に於いて、（例えばオムツ等を指す）陰茎及び睾丸の周囲に沿って（睾丸及び陰茎の関与する周囲を含み馴染ませる事を肝要と為すを考慮する必要な事をもある）上記生理用品の部分をカットして該部分を開放して、該部分から睾丸及び陰茎だけを露出、取りだして該生理用品から睾丸及び陰茎だけを独立させる生理用品  の仕法の一例図である。
【実施例２】
【００５１】
本実施例の図２は、本実施例の図１の仕法の該部分から睾丸及び陰茎だけを露出、取りだして該生理用品から睾丸及び陰茎だけを独立させた睾丸及び陰茎を被覆する仕法であり、陰茎及び睾丸の周囲に沿って（睾丸及び陰茎の関与する周囲を含み馴染ませる事を肝要と為すを考慮する必要な事をもある）前記生理用品の部分をカットした該部分に沿って付ける又は該着脱可能（付着、付設、係合、係止、着接、結合、脱着又は着脱等の全ての付ける又は、はずす仕法の意を言う）とする陰茎及び睾丸を被覆する袋を設定して包囲する仕法は陰茎からの排出物を保持、管理又は廃棄する機能を有する。該包囲する袋に水分等を吸収する材料、剤又はクッション又は肌さわり良好な素材を設定して身体に優しい状態を作り出す手段を施す事も出来うる。該仕法とする一例図である。
【実施例３】
【００５２】
本実施例の図３は、本実施例の図２の仕法において、露出した睾丸及び陰茎を被覆する仕法に睾丸と陰茎との間を区切る仕法を設ける事で睾丸と陰茎とを分離させた状態を設定する仕法である。睾丸と陰茎とを分離する事により、陰茎からの排出物を分離した陰茎側に留める事を求める手段である。該陰茎側を包囲する袋に水分等を吸収する材料、剤又はクッション又は肌さわり良好な素材を設定して身体に優しい状態を作り出す手段を施す事も出来うる。該仕法とする一例図である。
【実施例４】
【００５３】
本実施例の図４は、本実施例の図１の仕法において、露出した睾丸及び陰茎の陰茎側のみに被覆する仕法を設定する陰茎を分離被覆する事により、陰茎からの排出物を分離した陰茎側に留める事を求める手段である。該陰茎側を包囲する袋に水分等を吸収する材料、剤又はクッション又は肌さわり良好な素材を設定して身体に優しい状態を作り出す手段を施す事も出来うる。該仕法とする一例図である。
【実施例５】
【００５４】
本実施例の図５は、本実施例の図１の仕法において、露出した睾丸及び陰茎の陰茎側のみと睾丸側のみと分離して被覆する仕法を設定する。睾丸と陰茎を分離被覆する事により、陰茎からの排出物を分離した陰茎側に留める事を求める又睾丸側を被覆する事を良しとなす手段である。該陰茎側を包囲する袋に水分等を吸収する材料、剤又はクッション又は肌さわり良好な素材を設定して身体に優しい状態を作り出す手段を施す事も出来うる。又睾丸側に於いてもクッション又は肌さわり良好な素材を設定して身体に優しい状態を作り出す手段を施す事も出来うる。該仕法とする一例図である。
【実施例６】
【００５５】
本実施例の図６は、  本実施例の図１に於ける、ペニス・肛門・又は陰門から排出する排泄物に関与して設けられた排泄物を保持する又は該処理する生理用品に於いて、（例えばオムツ等を指す）陰茎及び睾丸の周囲に沿って（睾丸及び陰茎の関与する周囲を含み馴染ませる事を肝要と為すを考慮する必要な事をもある）上記生理用品の部分をカットして該部分を開放して、該部分から睾丸及び陰茎だけを露出、取りだして該生理用品から睾丸及び陰茎だけを独立させる生理用品に更に該肛門周囲の部分をカットして該部分を開放して、肛門からの排泄物を該部分から移動させることが可能な仕法とする一例図である。
【実施例７】
【００５６】
本実施例の図７は、身体に装着する生理用品に於いて、肛門、陰茎又は陰門より排出する汚物を、保持する、管理する、廃棄する又は排出する機能、作用、構造、又は構成をする一環の一部とする該生理用品の周辺部分をカットする又は開く。該周辺部分から睾丸及び陰茎だけを露出、取りだして該生理用品から睾丸及び陰茎だけを独立させる生理用品の上記生理用品の部分をカット又は開いた部分を、個人のサイズに合わせて調整装着出来る様に図の方法等にて点線欠取して又は二重線等の加工する面の手段を左右上下大小に広げたり、曲げたりして、蛇行したり、又は蛇腹、伸縮自在等種々仕法にて該身体周辺にフイットするよう設定する。該設定した部分のにおいて、更により効率良く、便利、簡易、良好、又は身体に優しい該生理用品に為すために、該生理用品を柔軟性、硬直性、又は記憶する性質等のその他種々の材料、素材、品質、性質、素質を使用して、その該設定した部分の形状化を為し安定した形状をなし、身体密着と為す、身体にも優しい素材を使用する、又は該形状は袋の装着可能、脱着可能とする。該形状、作用にて、又それらを以て、製造、製品、部品又は部分とする、該形状、機能を形成し、機能を為し、それ等を組立を為す形状を為す。又は上記構成、機能とする組立をする組織を為す事とする仕法を設ける事を特徴とする一例の生理用品図である。
【実施例８】
【００５７】
本実施例の図８は、本実施例の図７に肛門の周辺部分を本実施例の図７の仕法を追加した図である。
【実施例９】
【００５８】
本実施例の図９は、本実施例の図７に袋を装着した仕法の図である。
（該肛門、陰茎、陰門、又は陰茎と睾丸が対とす等の箇所周辺部分）該カットする又は開いた該肛門、陰茎、陰門、又は陰茎と睾丸が対とす等の箇所周辺部分の該状況又は事態を該身体、該状況又は該環境に合わせた機能、作用、構造、又は構成（一例として汚物がスム−ズに移動する、汚物が次の段階に移動の際必要とする流れに準じる、又は汚物が次の段階の移動にて保持する、管理する、廃棄する又は排出する事が容易に簡単に衛生的に安全に成せる機能、作用、構造、又は構成を持つ仕法とする）とする為の工夫、考案、手段を設けた身体に優しい生理。
【００５９】
例えば、肛門、陰茎又は陰門より排出する汚物を保持し他に洩れる事がないように包み込んで覆うことが出来る仕法である。又露出した睾丸及び陰茎を包み込んで覆う袋体を睾丸及び陰茎を露出する事が可能な位置における該生理用品の部分を取り除ぞく又は開いた該生理用品の箇所に該袋体を取り付けて、肛門、陰茎又は陰門より排出する汚物を保持し他に洩れる事がないように設定する、該仕法の一例図である。
【実施例１０】
【００６０】
本実施例の図１０は、本実施例の図９の袋が陰茎と睾丸に分離して設定した図である。又該生理用品の周辺部分をカットする又は開いた箇所を蛇腹伸縮自由形状にて身体にフイットするように構成・機能を設定したものの図である。
【実施例１１】
【００６１】
本実施例の図１１は、本実施例の図９の仕法の図の袋体は、露出した睾丸及び陰茎を被覆する仕法に睾丸と陰茎との間を区切る仕法を設ける事で睾丸と陰茎とを分離させた状態を設定する仕法である。睾丸と陰茎とを分離する事により、陰茎からの排出物を分離した陰茎側に留める事を求める手段である。該陰茎側を包囲する袋に水分等を吸収する材料、剤又はクッション又は肌さわり良好な素材を設定して身体に優しい状態を作り出す手段を施す事も出来うる。該仕法とする一例図である。更に該袋は蛇腹伸縮自由形状にて通常身体にフイットするように小さく構成し、機能が必要とするときそれに応じ作用をする様に設定したものの図である。
【実施例１２】
【００６２】
本実施例の図１２は、該生理用品の周辺部分をカットする又は開く。該周辺部分から睾丸及び陰茎だけを露出、取りだして該生理用品から睾丸及び陰茎だけを独立させる生理用品において、該生理用品全体を身体にフィットさせてウエスト等に合わせる。仕法の１例としてで、カットする又は開く周辺部分からウエストに向かって立ち上げる伸縮を所持した合わせ重ね調整出来る又ボタン（留め具類）の取り付け位置、箇所にて調整出来る該部分をボタンにて開閉して身体に装着出来身体からウエストにかけなす該機能、構成（該仕法を必要、要望（痩せたからだ、太った身体）に応じ何カ所に設定することも可能）により、違和感のない身体に合わせることが出来る仕法の１例図である。
【実施例１３】
【００６３】
本実施例の図１３は、該生理用品の周辺部分をカットする又は開く。該周辺部分から睾丸及び陰茎だけを露出、取りだして該生理用品から睾丸及び陰茎だけを独立させる生理用品において、該生理用品全体を身体にフィットさせウエスト等を合わせる仕法の１例としてで、睾丸及び陰茎だけを露出、取りだす周辺部分をカットする又は開く周辺部分からウエスト迄に向かって立ち上げる箇所を開閉する構造（何カ所に設定も可、又該構造を足側にに設定することも可能）において、ウエストにて絞り込み、ゆとりを自在に調節出来る伸縮を所持した合わせ重ね調整出来るファスナ−（留め具類）の取り付けて身体に調整装着出来る。身体からウエストにかけなす該機能、構成（該仕法を必要、要望（痩せたからだ、太った身体）に応じ何カ所に設定することも可能）により、違和感のない身体に合わせることが出来る仕法の１例図である。又上部ウエスト側にゴムのような伸縮可能な機能を設定する。身体に優しい状態を作り出す手段を施す事も出来うる。該仕法とする一例図である。
【実施例１４】
【００６４】
本実施例の図１４は、該生理用品の周辺部分をカットする又は開く。該周辺部分から睾丸及び陰茎だけを露出、取りだして該生理用品から睾丸及び陰茎だけを独立させる生理用品において、該生理用品全体を身体にフィットさせウエスト等を合わせる仕法の１例としてで、睾丸及び陰茎だけを露出、取りだす周辺部分をカットする又は開く周辺部分からウエスト迄に向かって立ち上げる箇所を開閉する構造（何カ所に設定も可、又該構造を足側にに設定することも可能）において、ゆったりとした生理用品においても、ウエストにて絞り込み、ゆとりを自在に調節出来る、合わせ重ね調整出来る構造・機能のウエストにて風呂敷結び蝶々結びをして身体に調整装着出来うる。
【実施例１５】
【００６５】
本実施例の図１５は、本実施例の図１４の仕法の別の角度から見た図である。
【実施例１６】
【００６６】
本実施例の図１６は、本実施例の図１４，１５の仕法の別の角度から見た図である。
【実施例１７】
【００６７】
本実施例の図１７は、本実施例の図１４，１５，１６に肛門側に続く該構造、機能を前後に設定した仕法の別の角度から見た図である。
【実施例１８】
【００６８】
本実施例の図１８は、身体に装着する生理用品に於いて、肛門、陰茎又は陰門より排出する汚物を、保持する、管理する、廃棄する又は排出する機能、作用、構造、又は構成をする。通常は閉じた二重機構と為し一環の一部とする該生理用品の周辺部分を必要な範囲に開く。該周辺部分から睾丸及び陰茎だけを露出、取りだして該生理用品から睾丸及び陰茎だけを独立させる生理用品の上記生理用品の部分を必要な範囲で開らく。該部分を、個人のサイズに合わせて調整装着出来る様にした図である。カット又は開らく部分を、二重合わせ線として合わせ閉じた面、線として設定し、個人のサイズに合わせて該面、線を加工開口する。該加工は左右上下大小に広げたり、曲げたりして、蛇行したり、又は蛇腹、伸縮自在等種々仕法にて該身体周辺にフイットするよう設定する。該設定した部分のにおいて、更により効率良く、便利、簡易、良好、又は身体に優しい該生理用品に為すために、該生理用品を柔軟性、硬直性、又は記憶する性質等のその他種々の材料、素材、品質、性質、素質を使用して、その該設定した部分の形状化を為し安定した形状をなし、身体密着と為す、身体にも優しい素材を使用する、又は該形状は袋の装着可能、脱着可能とする事も出来る。該形状、作用にて、又それらを以て、製造、製品、部品又は部分とする、該形状、機能を形成し、機能を為し、それ等を組立を為す形状を為す。又は上記構成、機能とする組立をする組織を為す事とする仕法を設ける事を特徴とする一例の生理用品図である。
【実施例１９】
【００６９】
本実施例の図１９は、身体に装着する生理用品に於いて、肛門、陰茎又は陰門より排出する汚物を、保持する、管理する、廃棄する。又は排出する機能、作用、構造、又は構成をする該一環を点線等にて設定する。その一部を必要とする部分を点線に沿ってカットする又は開く。該周辺部分から睾丸及び陰茎だけを露出、取りだして該生理用品から睾丸及び陰茎だけを独立させる生理用品の上記生理用品の部分をカット又は開いた部分を、個人のサイズに合わせて調整装着出来る様にした図である。カット又は開らく部分を、点線（多じゅうせんも可・多箇所とするも可）として設定する。個人のサイズに合わせて該点線を任意の箇所まで欠切・開切して、該切った、線、面を左右上下大小に広げたり、曲げたりして、蛇行したり加工して該身体周辺にフイットするよう設定する。該設定した部分のにおいて、更により効率良く、便利、簡易、良好、又は身体に優しい該生理用品に為すために、該生理用品を柔軟性、硬直性、又は記憶する性質等のその他種々の材料、素材、品質、性質、素質を使用して、その該設定した部分（部材化を為し）安定した形状をなし、身体密着と為す、身体にも優しい素材を使用する、又は該形状は袋の装着可能、脱着可能とする事も出来る。該形状、作用にて、又それらを以て、製造、製品、部品又は部分とする、該形状、機能を形成し、機能を為し、それ等を組立を為す形状を為す。又は上記構成、機能とする組立をする組織を為す事とする仕法を設ける事を特徴とする一例の生理用品図である。
【実施例２０】
【００７０】
本実施例の図２０は、本実施例の図１９の仕法の開口可能の点線を必要におおじた大きさに開切して、該切った、線、面を左右上下大小に広げたり、曲げたりして、加工して該身体周辺にフイットするよう設定した図である。
【実施例２１】
【００７１】
本実施例の図２１は、身体に装着する生理用品に於いて、肛門、陰茎又は陰門より排出する汚物を、保持する、管理する、廃棄する又は排出する機能、作用、構造、又は構成をする一環の一部とする該生理用品の周辺部分をカットする又は開く。上記生理用品の肛門周辺部分をカット又は開いた部分を、個人のサイズ、位置に合わせて排出調整装着出来る様にした仕法図である。カット又は開らく部分を、二重合わせ線として為し、個人のサイズに合わせて該面、線を加工開口とする。該加工は左右上下大小に広げたり、曲げたりして、蛇行したり、又は伸縮自在等種々仕法にて該身体周辺にフイットするよう又排出物の排出をスム−スにするに設定する。該設定した部分において、更により効率良く、便利、簡易、良好、又は身体に優しい該生理用品に為すために、該生理用品を柔軟性、硬直性、又は記憶する性質等のその他種々の材料、素材、品質、性質、素質を使用して、その該設定した部分の形状化を為し、安定した形状となす。お尻の形状に沿って為す形状はお尻の窪み、凸凹、に着座するがの如く為し、便排出周辺の開切口は肛門の大きさに応じた広さに構成し又便の流動過程においても、広がりを生じる記憶する二重合わせ線を設定した身体密着生理用品である、身体にも優しい素材を使用する、又は該形状は便保持、管理可能な袋の装着を可能とする、又は該袋は脱着可能とする事も出来る。該形状、作用にて、又それらを以て、製造、製品、部品又は部分とする、該形状、機能を形成し、機能を為し、それ等を組立を為す形状を為す。又は上記構成、機能とする組立をする組織を為す事とする仕法を設ける事を特徴とする一例の生理用品図である。
【実施例２２】
【００７２】
本実施例の図２２は、本実施例の図２１をお尻の横から見た図で、二重合わせ線として使用の合わせ閉じた機能面、線を、お尻の窪みがある該形状に沿って為す形状に、該機能面・線を該窪みに着座するがの如く為してさせて、又挟み込む様にして該機能面・線を安定又は固定させる事を為す仕法の身体密着生理用品である。該仕法に袋を装着・脱着する。該仕法は便排出又便の流動過程においても、安全、衛生的、安心な仕法となりうる
【実施例２３】
【００７３】
本実施例の図２３は、身体に装着する生理用品において陰茎・陰門・肛門等から排出する排泄物に関与する生理用品の該排泄物に対応する過程の部分を陰茎・陰門・肛門又は該部又は生理用品全体にわたり、各々目的に応じて柔軟強硬なる、又は形状記憶部材等にて設定する。
【００７４】
各々に該部を開口した該開口部又は生理用品又は縁等をその他目的に応じ該適する種々な材料（曲げ・止め・制止等種々な仕法等）（針金・製紙・記憶合金・化学製品プラシック、アクリル、ポリエステル等類の種々な材料）にて陰茎・陰門・肛門又は該全部全体にわたる各々目的に応じ該カット部を開口する。依って、身体の構造、排泄する排泄物の種類、安全安心がある等その他種々の該目的と為す方法により形状、形成、位置、状況、開放度合い等を、（例えば、該排泄物の移動過程に対応する状態の位置に於ける、陰茎・陰門・肛門又は該全部全体にわたる各々該開口部を該身体状態に沿って、合わせ身体ビットさせる、）開口の開きかたを、身体の排泄部に対処する開口部を排泄部の形状に合わせる事の特徴とする該生理用を任意形状となす。該任意形状は保持袋等等その他種々の物を設定することが出来る。該設定は固定、係止、係合、吸着、咬止、咬合、嵌合又はその他種々な方法がある。
【００７５】
又該方法において、柔軟強硬なる又は形状記憶部材等材料にて固定形状と成し又は任意形に成形する事が出来る等その他種々な技法、仕法にて該該排泄物の便又は尿等が移動過程における移動、流動をスム−ヅに、又は、目的に到着する、又は他に流れない様にする、又は漏れを防止する又は衛生的にする等その他種々な助けをする手段である。
【実施例２４】
【００７６】
本実施例の図２４は、身体に装着する生理用品において排出する排泄物の便又は尿等が移動過程における移動に関与する部分をカット開口する該部分を柔軟強硬なる材料、形状記憶部材等々のその他種々の材料にて任意形状設定とする又は該固定設定する仕法を設けた事を特徴とする。又該生理用品の該開口に排泄物を保持する袋を設定する事を特徴とする生理用品。又該袋を開口取り付ける口においても、柔軟強硬なる材料又形状記憶部材等々の材料にて任意形状、成形設定とする又は該固定設定する仕法である、例えば本体開口の口又は袋の口の両者とも取り付ける、貼着する、着脱する、定着する、固定する、安定、又は配設する等々その他種々を設ける事も可能。
【実施例２５】
【００７７】
本実施例の図２５は、身体に装着する生理用品において排出する排泄物に関与する部分をカット開口する該部分又は生理用品を柔軟強硬なる材料、形状記憶部材等々の材料にて任意形状成形設定した、生理用品の該開口に排泄物を保持する袋を設定した。前記記載該カット開口する該部分を設定した該開口に排泄物を保持する袋を持つ該生理用品は、幅広く長く設ける生理用品の両端を適宜に内側に曲げて該生理用品を身頃、身体、オムツ等その他の物体に固定、又は定着させる。その際排泄物を保持する袋は両端の付着したオムツ側の内側と上記記載の生理用品側の外側の中間の空間に存在している、依って袋は該開口する該部分の外側にあり、身体、身頃、オムツの中間の空間に存在している。又身頃、オムツは汚物を防ぐ物である、依って流動する排泄物の保持をし、該設定定着機能は其れを邪魔する事はない。
【実施例２６】
【００７８】
本実施例の図２６は、身体に装着する生理用品において排出する排泄物の便又は尿等が移動過程における移動に関与する、部分をカット開口する、該部分を柔軟強硬なる材料、形状記憶部材等々の材料にて任意形状成形設定した生理用品の該開口に排泄物を保持する袋を設定した。該袋にペニスが挿入されている該上記任意形状成形設定した手段の生理用品の一部に帯状を設定し該帯を他の物体に定着させる、取り付け、又は固定する等その他種々の仕法である。然るに定着させる帯はどんな形でも又多数でも良い。
【実施例２７】
【００７９】
本実施例の図２７は、身体に装着する生理用品において、排出する排泄物の便又は尿等が移動過程における該排泄物に対処する開口部に排泄物を保持する袋を設定した手段の生理用品である。上記記載の該生理用品を設定した図の両端に位置決め、調整可能な、固定する又は取り付け取り外し等々のその他種々な手段を持つ生理用品である。該図２７において位置調整等の４種類の手段、方法を記しています。例えば柔軟強硬材料、形状記憶部材等々のを以て、形成記憶合金、曲がる、バネ、延びる縮むリング、蛇腹、又は塑性する等その他種々な方法で目的位置に位置調整し固定させる生理用品。図の端に記されている４つ違う絵は位置決め設定及び調整手段が色々種々ある事を表示した絵の１つ１つづつである。
【実施例２８】
【００８０】
本実施例の図２８は、身体に装着する生理用品において、排出する排泄物に関与して設けられた受部分、付着又は把持等のその他種々の手段を任意形状形成とした受持形状の生理用品である。該図には、ペニスが受持されている、該受持形状は、位置調整する機能を持ち第２９実施形態の様に取り付けられた現状のままの姿受持形成を逆さまにして使用する事が出来る。生理用品を身体、身頃、オムツその他種々の物体等に任意の位置及び固定装着する為の該位置及び調整する手段を持って、固定、又は定着させる生理用品で、該陰茎を上から受けている状況。
【実施例２９】
【００８１】
本実施例の図２９は、身体に装着する生理用品において、排出する排泄物に関与して設けられた受部分、付着又は把持等のその他種々の手段を任意形状形成とした該手段の該生理用品を、身体、身頃、オムツその他の物体等に任意の位置及び固定装着の為の該位置及び調整する手段を持って定着させる生理用品で、前記第２８実施形態の図を逆にして該陰茎を下から受けている状況。
【実施例３０】
【００８２】
本実施例の図３０は、身体に装着する生理用品において、排出する排泄物の便又は尿等が移動過程における該排泄物に対処する開口部に排泄物を保持する袋を設定した手段の生理用品である。更に上記記載の該生理用品を設定した図の部分に位置決め、調整可能な、固定する又は取り付け取り外し等々のその他種々な手段を持つ生理用品である。該図３０において位置調整等の手段、方法を以ています。例えば柔軟強硬材料、形状記憶部材等々のを以て、形成記憶合金、曲がる、バネ、延びる縮むリング、蛇腹又は塑性するとその他種々な方法で目的位置に位置調整し固定させる生理用品。更に本件実施例の図３０は、身体に装着する生理用品において、  請求項１項、２項、３項、４項、又は５項の少なくとも何れかに記載の生理用品に於いて  該生理用品に該組みする部分（例えば持ち出し部分、係合、係止する部分、又は突出部分等等種々あり）を設け、該部分を排泄部に関与する身体の排泄部の構造、凹凸、割れ目、窪み形状に係合する手段を持って、より良く位置決め、固定の調整をして定着させる生理用品である。尚、該生理用品は便、尿等の流動誘導を為しす為の安定、指針、目安、身体に密着させる手段の１つと為し他へ流動を防ぎ衛生的な生理用品である。
【実施例３１】
【００８３】
本実施例の図３１は、身体に装着する生理用品において、身体の排泄部に対処する部分に受持形状を設けた生理用品には、肛門から排出する排泄物を保持する袋が備えられている。本実施例の図３１は、排泄する排泄物を保持する袋を備え排泄物を保持している、該生理用品において、該生理用品に於ける肛門状況の上下に該受持形状を設け肛門を及び該設定生理用品の辺り、脇から漏れ出る排泄物を受け止める、受持する、受け皿等々種々の変形受持形態である。また、変形受持形成（袋無し）だけで設定することも可能である。又変形受持形成には図２８、２９参照の形状を備え該生理用品から延びた端の一部に薄い形状部分の飛び出し部、突部、又は位置決め部分取り付け等の組みする部分を設け、該部分を身体の（陰門、陰茎、）肛門の排泄する排泄部に対処する部分に関連した前後左右上下等の該周辺、周囲に存在させる。該部分は、身体肛門付近の実状の形の縦長の凹み、窪み、割れ目の形等の凹凸の形状に、組みする、着座する、差し込む、又は挟み込んで該生理用品に対して、位置決め、又は固定安定を計る手段の該部分を設けた生理用品。又生理用品は他の物体に取り付ける、他に応用する事が出来る特徴の生理用品。  全請求項１〜６項において、ユニットとして製作出来る、又該ユニットは取り付け、取り外しを為すことが出来る
【符号の説明】
【００８４】
１  身体
２  足
３  陰茎
４  睾丸
５  肛門
６  生理用品
７  袋
８  袋
９  袋
１０  区切り
１１  生理用品の部分（陰茎及び睾丸の周囲）をカットした該部分
１２  生理用品の部分（肛門周囲）をカットした該部分
１３  伸縮自在、又重ね機能
１４  伸縮自在、又重ね機能
１５  伸縮自在、調整蝶結び機能
１６  機能構成の重なったカット面
１７  多重機能構成のカット面
１８  機能構成のカット面
１９  開口部
２０  形状記憶部材
２１  固定
２２  位置調整
２３  受持部
２４  脇部
２５  身頃
【図１】
2011218159.tif 000003
【図２】
2011218159.tif 000004
【図３】
2011218159.tif 000005
【図４】
2011218159.tif 000006
【図５】
2011218159.tif 000007
【図６】
2011218159.tif 000008
【図７】
2011218159.tif 000009
【図８】
2011218159.tif 000010
【図９】
2011218159.tif 000011
【図１０】
2011218159.tif 000012
【図１１】
2011218159.tif 000013
【図１２】
2011218159.tif 000014
【図１３】
2011218159.tif 000015
【図１４】
2011218159.tif 000016
【図１５】
2011218159.tif 000017
【図１６】
2011218159.tif 000018
【図１７】
2011218159.tif 000019
【図１８】
2011218159.tif 000020
【図１９】
2011218159.tif 000021
【図２０】
2011218159.tif 000022
【図２１】
2011218159.tif 000023
【図２２】
2011218159.tif 000024
【図２３】
2011218159.tif 000025
【図２４】
2011218159.tif 000026
【図２５】
2011218159.tif 000027
【図２６】
2011218159.tif 000028
【図２７】
2011218159.tif 000029
【図２８】
2011218159.tif 000030
【図２９】
2011218159.tif 000031
【図３０】
2011218159.tif 000032
【図３１】
2011218159.tif 000033